(57)【要約】【課題】蓋の開閉動作になんら困難性を生ずることなく、電池の電極と接片との接触圧を高め、電池の電極部の接触抵抗を低減し、カメラの撮影枚数を増加させる。【解決手段】蓋ロック機構１０の背面に凸起１４を設け、蓋ロック機構１０のロック、ロック解除に伴って凸起１４が電池５０の接片６０を電池に押圧する位置に前進し、または押圧しない位置に退避するようにした。【選択図】        図２
2004179120.tif 000002
【特許請求の範囲】
【請求項１】
電池を使用する機器において、電池の蓋ロック機構に電池を押圧する押圧手段を付与したことを特徴とする電池蓋ロック装置。
【請求項２】
前記押圧手段は、蓋ロック機構の背面に設けられた凸起とし、蓋ロック機構のロック、ロック解除に伴って前記凸起は電池の接片を電池に押圧する位置に前進し、または押圧しない位置に退避する凸起であることを特徴とする請求項１記載の電池蓋ロック装置。
【請求項３】
前記押圧手段は、蓋ロック機構の背面に設けられた弾性部材とし、該弾性部材は蓋ロック機構のロック、ロック解除に伴って、電池の側部を押圧して電池を電池室壁に密着させ、又は電池の側部の押圧を解除するとき電極から離れる弾性部材であることを特徴とする請求項１記載の電池蓋ロック装置。
【発明の詳細な説明】
【０００１】
【発明の属する技術分野】
本発明は、電子機器等の電池蓋ロック装置に関する。
【０００２】
【従来の技術】
カメラにおいて、電源として用いられる縦長の電池は、通常、カメラ本体外装部の底面から挿入され、カメラの底面に垂直な方向を軸として収納配置されている。そして、電池挿入用の開口を塞ぐための電池蓋には、蓋を閉位置に留めておくために、専用のロック部材が備えられている。電池がカメラ本体内に装着されている場合、ばね性を有する電池の接続用接片の弾性力によって、電池蓋には開放方向に付勢力が働くが、ロック部材により電池蓋は所定の閉位置に保持されるようになっている。
【０００３】
電池蓋を閉位置に保持するためのロック機構は専用の部材で構成されているので、専用部品としてのコストがかかる。また、ロック機構の配置スペースが必要であり、この配置スペースも電池収納部付近の寸法を大きくする要因の一つとなっている。
【０００４】
電池の非装着時においても電池蓋を容易に開放できるようにし、操作性を向上させたカメラの電池蓋がある。この技術は電池収納部の開口部を覆う電池蓋の表面には電池蓋ロック部材を設け、通常の電池接続用接片を設け、電池蓋の閉位置において電池蓋に弾性変形を生じさせ、電池蓋に開放方向への付勢力を与える技術である（例えば、特許文献１参照。）。
【０００５】
この技術は電池を収納していない場合に蓋が開きにくいのを改善するものであって、電池収納時の電池の電極と電池接片との押圧を改善する技術ではない。
【０００６】
【特許文献１】
特開平１１−４４９０８号公報（第２−８頁、図４）
【０００７】
【発明が解決しようとする課題】
電池がカメラ本体内に収納されている場合、通常、蓋部材に電池接片が取付けられている。電池の電極と電池接片との接触が不十分であると、この部分に電気抵抗が生じ、電池を有効に使い切ることができない。近年は、カメラの性能が改善され、低電圧で作動するようになっているので、特にその影響が大きい。
【０００８】
そこで、電池の接触圧を上げることにより、電池との接触抵抗を低減し、撮影枚数を増加させることができる。しかし従来、電極と接片との接触は蓋に取付けられている接片によりなされるので、接触圧を高めると、電池蓋の開閉操作力が大きくなりすぎ、蓋を閉じることが困難になるという欠点があった。
【０００９】
本発明は上記問題点を解決し、蓋の開閉動作になんら困難性を生ずることなく電池の電極と接片との接触圧を高めることができる技術を提供することを目的とするものである。
【００１０】
【課題を解決するための手段】
本発明は、電池を使用する機器において、電池の蓋ロック機構に電池を押圧する押圧手段を付与したことを特徴とする電池蓋ロック装置である。
【００１１】
さらに具体的には前記押圧手段は、蓋ロック機構の背面に設けられた凸起とし、蓋ロック機構をロックしたとき前記凸起は電池の接片を電極に押圧する位置に前進し、ロック解除に伴って電池の接片を電極に押圧する位置から退避する凸起とする。
【００１２】
この押圧手段は電池蓋ロック機構と電池接片を連動させ、ロックを行うと同時に電池接片に曲げを与え、電池との接触圧を高める。これにより、電池蓋の開閉操作力を高めることなく、電池接触圧のみを高くすることができる。
【００１３】
前記押圧手段の別の態様としては、蓋ロック機構の背面に設けられた弾性部材とし、該弾性部材は蓋ロック機構をロックしたとき、電池の側部を押圧して電池を電池室壁に密着させ、ロック解除に伴って、電池の側部の押圧を解除し、電池から離れる弾性部材とする。
【００１４】
従来の蓋ロック装置は、電池蓋をロックするのみであったが、本発明により他の作用を付加され多機能の部材となった。
【００１５】
【発明の実施の形態】
本発明は、電池蓋をロックするとその動作に伴って同時に電池接片の接触圧を大きくするか又は電池を壁に押しつけて電池の遊動を阻止して接点を安定させ、接触部の電気抵抗を低減させるものである。
【００１６】
以下図面を参照して本発明の実施の形態を説明する。
【００１７】
図２は本発明の実施例の電池蓋ロック装置１０を示す側面図である。
【００１８】
電池５０が収納される収納室５１の蓋５２は本体キャビネット５３に蝶番構造で取付けられている。この蓋５２の背面には電池蓋ロック装置１０が取付けられている。蓋５２を閉止した後、ロック装置１０の爪１１を矢印１２方向にシフトするとロック装置１０の先端１３はキャビネットに設けたロック孔５４内に進入し蓋５２は閉止ロック状態となり開かなくなる。ロック装置１０を矢印１２と逆方向にシフトすると、ロック装置１０の先端とロック孔５４との係合が解除され蓋５２を開くことができる。
【００１９】
本発明ではこのロック装置１０の背面に突起１４を設け、ロック装置１０を矢印１２方向にシフトしてロック状態にしたとき、突起１４が電池５０の接片６０を押圧するようにした。
【００２０】
図１はこのロック装置１０と接片６０との関係を示す説明図である。接片６０は蓋５２の背面に取付けられ、接触部６１，６２が電池に接して導通する。図１（ａ）はロック装置１０を図２の矢印１２方向にシフトする前の状態を示すもので接片６０の高さ（蓋５２の裏面と接点との距離）ａとなっている。ロック装置１０は接片６０を押す状態になっていない。
【００２１】
図１（ｂ）はロック装置１０を図２に示す矢印１２方向にシフトした状態を示すもので、ロック装置１０の突起１４が接片６０を押圧している状態を示す。突起１４の高さをｂとし、図１（ａ）の状態でロック装置１０が接片に接していたとすると接片は突出高さｂだけ押圧され、図１（ｂ）に示すように、接片の電池との当接部はほぼ（ａ＋ｂ）に近似する寸法となる。
【００２２】
図３〜５は別の実施例を示すもので、図３は蓋５２を取去ってロック装置１０の作動を説明するようにした正面図、図４はそのＡ−Ａ矢視断面図である。
【００２３】
符号１０〜１３、５０〜５４は図１、図２と同様である。異なる点は、ロック装置１０の背面に軸１５を突出し、この軸に弾性リング１６を外嵌し、ロック装置１０を矢印１２方向にシフトしたとき、この弾性リング１６が２ケの電池５０及び５０ａの側面を押し付けるようにした点である。図５はこの動作を説明する説明図で、２ケの電池５０、５０ａと弾性リング１６との関係を示している。ロック装置１０が図４の矢印１２方向にシフトする前には弾性リングは１６ａの位置にあり、電池５０、５０ａと接していない。ロック装置１０を矢印１２（図４）方向にシフトしたとき、弾性リング１６ａは矢印１７方向に移動し２ケの電池の側面に接する位置（１６）に押圧され、電池５０、５０ａの間のくさび状の隙間に食い込む。
【００２４】
従って、電池５０、５０ａは強く側面に押しつけられて電池室内の壁面に押圧固定される。
【００２５】
この固定により、電池は撮影姿勢の変更や振動等に対して安定しており、接点が移動等を生じない。従って接点の電気抵抗が安定的に保たれ、低電圧でも作動し電池の寿命延長に寄与する。
【００２６】
【発明の効果】
本発明によれば電池と電池接片との接触抵抗が低減する。従って、電池が消耗して来ても接触部の電圧降下が小さく、一方、カメラの低電圧作動性の改善向上と相俟って、従来に比し、撮影枚数が増加するという優れた効果を奏する。
【図面の簡単な説明】
【図１】ロック装置１０と接片６０との関係を示す説明図である。
【図２】本発明の実施例の電池蓋ロック装置１０を示す側面図である。
【図３】別の実施例を示すもので、蓋５２を取去ってロック装置１０の作動を説明するようにした正面図である。
【図４】別の実施例を示すもので、Ａ−Ａ矢視断面図である。
【図５】別の実施例を示すもので、この動作を説明する説明図である。
【符号の説明】
１０    電池蓋ロック装置
１１    爪
１２    矢印
１３    先端
１４    突起
１５    軸
１６、１６ａ    弾性リング
１７    矢印
５０、５０ａ    電池
５１    収納室
５２    蓋
５３    本体キャビネット
５４    ロック孔
６０    接片
６１，６２    接触部
【図１】
2004179120.tif 000003
【図２】
2004179120.tif 000004
【図３】
2004179120.tif 000005
【図４】
2004179120.tif 000006
【図５】
2004179120.tif 000007